(57)【要約】【課題】ディスプレイパネルの視覚的配置と人間の目の視覚特性とを馴染ませることができ、良好な視認性を有する発光デバイス、バックライト光源及びディスプレイ装置を提供すること。【解決手段】ディスプレイ装置の画像表示のために用いる複数の発光デバイスで構成した平面状のバックライト光源であって、発光デバイスは、光軸の基端側に発光ユニット、他端側に発光ユニットからの光を誘導放射する発光表面とを備えており、当該発光表面は、略球面形状であり、当該略球面形状は、第１曲率半径を備える第１球面カーブと、第１曲率半径よりも小さな第２曲率半径を備える第２球面カーブとで構成されているものを用いたことを特徴とするバックライト光源を採用する。【選択図】図６
2008103312.tif 000002
【特許請求の範囲】
【請求項１】
ディスプレイ装置の画像表示のために用いる複数の発光デバイスで構成した平面状のバックライト光源であって、
発光デバイスは、光軸の基端側に発光ユニット、他端側に発光ユニットからの光を誘導放射する発光表面とを備えており、
当該発光表面は、略球面形状であり、当該略球面形状は、第１曲率半径を備える第１球面カーブと、第１曲率半径よりも小さな第２曲率半径を備える第２球面カーブとで構成されているものを用いたことを特徴とするバックライト光源。
【請求項２】
前記発光デバイスは、基端側の前記発光ユニットと他端側の前記発光表面とが所定の離間間隔をもって配置されており、且つ、前記第２曲率半径が当該離間距離の略半分以下の長さである請求項１に記載のバックライト光源。
【請求項３】
前記発光デバイスは、基端側の前記発光ユニットと他端側の前記発光表面とが所定の離間間隔をもって配置されており、且つ、前記第１曲率半径が当該離間距離の略半分以上の長さである請求項１又は請求項２に記載のバックライト光源。
【請求項４】
前記第１曲率半径と前記第２曲率半径との長さ比（［第２曲率半径］／［第１曲率半径］）の値が、０．９５〜０．０５である請求項１〜請求項３のいずれかに記載のバックライト光源。
【請求項５】
前記第２曲率半径が、前記第１曲率半径の１／２以下の長さである請求項１〜請求項４のいずれかに記載のバックライト光源。
【請求項６】
前記発光デバイスの略球面形状の発光表面は、２つの第１球面カーブで構成した領域（以下、「第１球面カーブ領域」と称する。）と、２つの第２球面カーブで構成した領域（以下、「第２球面カーブ領域」と称する。）とを備え、その第１球面カーブ領域と第２球面カーブ領域とを周方向に交互に配置したものであり、
当該発光デバイスをマトリクス状に配列して平面状のバックライト光源を構成する際に、当該発光デバイスの略球面形状の第１球面カーブ領域が、画像表示を行う際の垂直方向に沿って配列するようにした請求項１〜請求項５のいずれかに記載のバックライト光源。
【請求項７】
前記発光デバイスを構成する発光ユニットは、複数の単色発光光源を含む請求項１〜請求項６のいずれかに記載のバックライト光源。
【請求項８】
前記単色は、実質的に白色である請求項７に記載のバックライト光源。
【請求項９】
前記発光デバイスを構成する発光ユニットは、複数の多色発光光源を含む請求項１〜請求項６のいずれかに記載のバックライト光源。
【請求項１０】
前記発光デバイスの複数が連動して動作する発光群を形成した請求項１〜請求項９のいずれかに記載のバックライト光源。
【請求項１１】
請求項１〜請求項１０のいずれかに記載のバックライト光源を用いたディスプレイ装置。
【請求項１２】
ディスプレイ装置の画像表示のために用いる平面状のバックライト光源を構成するための発光デバイスであって、
当該発光デバイスは、光軸の基端側に発光ユニット、他端側に発光ユニットからの光を誘導放射する発光表面とを備えており、
当該発光表面は、略球面形状であり、当該略球面形状は、第１曲率半径を備える第１球面カーブと、第１曲率半径よりも小さな第２曲率半径を備える第２球面カーブとで構成されていることを特徴とする発光デバイス。
【請求項１３】
前記発光デバイスは、基端側の前記発光ユニットと他端側の前記発光表面とが所定の離間間隔をもって配置されており、且つ、前記第２曲率半径が当該離間距離の略半分以下の長さである請求項１２に記載の発光デバイス。
【請求項１４】
前記発光デバイスは、基端側の前記発光ユニットと他端側の前記発光表面とが所定の離間間隔をもって配置されており、且つ、前記第１曲率半径が当該離間距離の略半分以上の長さである請求項１２又は請求項１３に記載の発光デバイス。
【請求項１５】
前記第１曲率半径と前記第２曲率半径との長さ比（［第２曲率半径］／［第１曲率半径］）の値が、０．９５〜０．０５である請求項１２〜請求項１４のいずれかに記載の発光デバイス。
【請求項１６】
前記第２曲率半径が、前記第１曲率半径の１／２以下の長さである請求項１２〜請求項１５のいずれかに記載の発光デバイス。
【請求項１７】
前記発光デバイスの略球面形状の発光表面は、前記第１球面カーブ領域と前記第２球面カーブ領域とを備え、その第１球面カーブ領域と第２球面カーブ領域とを周方向に交互に配置したものであり、
当該発光デバイスをマトリクス状に配列して平面状のバックライト光源を構成する際に、当該発光デバイスの略球面形状の第１球面カーブ領域が、画像表示を行う際の垂直方向に沿って配列するようにした請求項１２〜請求項１５のいずれかに記載の発光デバイス。
【請求項１８】
前記発光デバイスを構成する発光ユニットは、複数の単色発光光源である請求項１２〜請求項１７のいずれかに記載の発光デバイス。
【請求項１９】
前記単色は、実質的に白色である請求項１８に記載の発光デバイス。
【請求項２０】
前記発光デバイスを構成する発光ユニットは、複数の多色発光光源である請求項１２〜請求項１７のいずれかに記載の発光デバイス。
【発明の詳細な説明】
【技術分野】
【０００１】
本発明は発光デバイスに関し、特に、バックライトパネルに用いられる発光デバイスに関するものである。
【背景技術】
【０００２】
透過型又は半透過型液晶ディスプレイパネル等の透過型ディスプレイは、照明用のバックライト光源を必要とする。バックライト光源は、例えば蛍光灯パネル又は発光ダイオードパネルの形式で用いられることが多い。また、バックライト照明を供給する効率を高めるべく、バックライト光源から発せられる光線をディスプレイパネルの背部に導くためにレンズや集束手段も利用されている。
【０００３】
特許文献１（特開２００７−１８４９３号公報）には、バックライト光源の一部を形成する導光板の結像面と対向して配置され、赤、緑、青色の光をそれぞれ発する発光手段と、発光手段から発せられた光を所定の屈折率をもって導光板の結像面に結像させるレンズ部とを備え、レンズ部は、赤、緑、青色の各光をそれぞれ結像面上における同一の結像領域全体にわたって略均一に拡散させるランプユニットが記載されている（〔請求項１〕）。このランプユニットにより、赤、緑、青色の各光をそれぞれ結像面上における同一の結像領域全体にわたって略均一に拡散させるレンズ部を備えている為、色ムラを無くし、導光板の結像面上で３色を均一に混合して均一な白色光を形成することができ、またレンズ部の存在により、従来のような拡散板が不要となるため、減衰を少なくして出射効率を上げることができ、そのため、色ムラを無くす際に従来から課題となっていた拡散材による減衰と大きさの問題を解決するとされている（段落〔００１５〕）。
【０００４】
しかし、特許文献１に記載のランプユニットの配置においては、ディスプレイパネルの視覚的配置と人間の目の視覚特性とを馴染ませることができず、視認性が充分でないという問題が生じる。
【０００５】
【特許文献１】特開２００７−１８４９３号公報
【発明の開示】
【発明が解決しようとする課題】
【０００６】
したがって、本発明の目的は、ディスプレイパネルの視覚的配置と人間の目の視覚特性とを馴染ませることができ、良好な視認性を有する発光デバイス、バックライト光源及びディスプレイ装置を提供することにある。
【課題を解決するための手段】
【０００７】
すなわち、上記課題を解決するために、本発明は、ディスプレイ装置の画像表示のために用いる複数の発光デバイスで構成した平面状のバックライト光源であって、発光デバイスは、光軸の基端側に発光ユニット、他端側に発光ユニットからの光を誘導放射する発光表面とを備えており、当該発光表面は、略球面形状であり、当該略球面形状は、第１曲率半径を備える第１球面カーブと、第１曲率半径よりも小さな第２曲率半径を備える第２球面カーブとで構成されているものを用いたことを特徴とするバックライト光源を提供するものである。
【０００８】
本発明に係る前記バックライト光源において、前記発光デバイスは、基端側の前記発光ユニットと他端側の前記発光表面とが所定の離間間隔をもって配置されており、且つ、前記第２曲率半径が当該離間距離の略半分以下の長さであることが望ましい。
【０００９】
本発明に係る前記バックライト光源において、前記発光デバイスは、基端側の前記発光ユニットと他端側の前記発光表面とが所定の離間間隔をもって配置されており、且つ、前記第１曲率半径が当該離間距離の略半分以上の長さであることが望ましい。
【００１０】
本発明に係る前記バックライト光源において、前記第１曲率半径と第２曲率半径との長さ比（［第２曲率半径］／［第１曲率半径］）の値が、０．９５〜０．０５であることが望ましい。
【００１１】
本発明に係る前記バックライト光源において、前記第２曲率半径が、前記第１曲率半径の１／２以下の長さであることが望ましい。
【００１２】
本発明に係る前記バックライト光源において、前記発光デバイスの略球面形状の発光表面は、２つの第１球面カーブで構成した領域（以下、「第１球面カーブ領域」と称する。）と、２つの第２球面カーブで構成した領域（以下、「第２球面カーブ領域」と称する。）とを備え、その第１球面カーブ領域と第２球面カーブ領域とを周方向に交互に配置したものであり、当該発光デバイスをマトリクス状に配列して平面状のバックライト光源を構成する際に、当該発光デバイスの略球面形状の第１球面カーブ領域が、画像表示を行う際の垂直方向に沿って配列することが望ましい。
【００１３】
本発明に係る前記バックライト光源において、前記発光デバイスを構成する発光ユニットは、複数の単色発光光源を含み、前記単色は白色であることが望ましい。
【００１４】
本発明に係る前記バックライト光源において、前記発光デバイスを構成する発光ユニットは、複数の多色発光光源を含む。
【００１５】
本発明に係る前記バックライト光源において、前記発光デバイスの複数が連動して動作する発光群を形成することが望ましい。
【００１６】
また、本発明は、前記バックライト光源を用いたディスプレイ装置を提供するものである。
【００１７】
また、本発明は、ディスプレイ装置の画像表示のために用いる平面状のバックライト光源を構成するための発光デバイスであって、当該発光デバイスは、光軸の基端側に発光ユニット、他端側に発光ユニットからの光を誘導放射する発光表面とを備えており、当該発光表面は、略球面形状であり、当該略球面形状は、第１曲率半径を備える第１球面カーブと、第１曲率半径よりも小さな第２曲率半径を備える第２球面カーブとで構成されていることを特徴とする発光デバイスを提供するものである。
【００１８】
本発明の前記発光デバイスにおいて、前記発光デバイスは、基端側の前記発光ユニットと他端側の前記発光表面とが所定の離間間隔をもって配置されており、且つ、前記第２曲率半径が当該離間距離の略半分以下の長さであることが望ましい。
【００１９】
本発明の前記発光デバイスにおいて、前記発光デバイスは、基端側の前記発光ユニットと他端側の前記発光表面とが所定の離間間隔をもって配置されており、且つ、前記第１曲率半径が当該離間距離の略半分以上の長さであることが望ましい。
【００２０】
本発明の前記発光デバイスにおいて、前記第１曲率半径と前記第２曲率半径との長さ比（［第２曲率半径］／［第１曲率半径］）の値が、０．９５〜０．０５であることが望ましい。
【００２１】
本発明の前記発光デバイスにおいて、前記第２曲率半径が、前記第１曲率半径の１／２以下の長さであることが望ましい。
【００２２】
本発明の前記発光デバイスにおいて、前記発光デバイスの略球面形状の発光表面は、前記第１球面カーブ領域と前記第２球面カーブ領域とを備え、その第１球面カーブ領域と第２球面カーブ領域とを周方向に交互に配置したものであり、当該発光デバイスをマトリクス状に配列して平面状のバックライト光源を構成する際に、当該発光デバイスの略球面形状の第１球面カーブ領域が、画像表示を行う際の垂直方向に沿って配列することが望ましい。
【００２３】
本発明の前記発光デバイスにおいて、前記発光デバイスを構成する発光ユニットは、複数の単色発光光源を含み、前記単色は白色であることが望ましい。
【００２４】
本発明の前記発光デバイスにおいて、前記発光デバイスを構成する発光ユニットは、複数の多色発光光源を含む。
【発明の効果】
【００２５】
本発明によれば、バックライト光源の発光デバイスのレンズ表面は球面ではなく、レンズ表面（発光表面）の１方向における曲率半径ともう１つの方向における曲率半径とが異なり、これらのうち１つの曲率半径（第１曲率半径）がもう１つの曲率半径（第２曲率半径）よりも大きくなっている。よって、発光表面が実質上２つの焦点距離を持つことになり、そのうちの１つの焦点距離がもう１つの焦点距離よりも大きいため、１方向において焦点が発光ユニット上又は発光ユニットの後方に位置し、もう１つの方向においては焦点が発光ユニット上又は発光ユニットの前方に位置することになる。そして、本発明に係るバックライト光源が透過型又は半透過型ディスプレイパネルにバックライト照明を提供するために用いられ、かつ該ディスプレイパネルが直立方向に設置されたときに、該発光デバイスは、大きい方の曲率半径（第１曲率半径）を有する第１球面カーブからなる領域が実質的に垂直方向に、小さい方の曲率半径（第２曲率半径）を有する第２球面カーブからなる領域が実質的に水平方向にくるように置かれることになる。
【００２６】
この結果、垂直方向では発散光線を発し、水平方向では集束光線を発することになり、斜めからの視覚性及び画像の画像のシャープさを発揮することができ、このため、ディスプレイパネルの視覚的配置と人間の目の視覚特性とを馴染ませることができ、視認性を向上することができる。
【発明を実施するための最良の形態】
【００２７】
バックライト光源は複数の発光デバイスを含む。各発光デバイスの一端部には発光ユニットが備えられ、もう一端部には発光ユニットから発せられた光線を導き通過させるレンズ表面（発光表面）が備えられている。仮にレンズ表面が実質的に球面であるとすると、球面の焦点は実質的に発光ユニット上に位置する、あるいは焦点距離が実質上レンズ表面と発光ユニット間の距離に等しいということになる。
【００２８】
本発明によれば、レンズ表面（発光表面）は球面ではなく、レンズ表面の１方向における曲率半径ともう１つの方向における曲率半径とが異なり、これらのうち１つの曲率半径（第１曲率半径）がもう１つの曲率半径（第２曲率半径）よりも大きくなっている、詳細に言うと、一方の曲率半径（第２曲率半径）が実質的にレンズ表面と発光ユニット間の距離の半分に等しい又はこれよりも小さく、もう一方の曲率半径（第１曲率半径）が実質的にレンズ表面と発光ユニット間の距離の半分に等しい又はこれよりも大きい。このようであるため、レンズ表面（発光表面）は実質上２つの焦点距離を持つことになり、そのうちの１つの焦点距離がもう１つの焦点距離よりも大きいため、１方向において焦点が発光ユニット上又は発光ユニットの後方に位置し、もう１つの方向においては焦点が発光ユニット上又は発光ユニットの前方に位置することになる。発光ユニットは、例えば、単色又は三原色（ＲＧＢ；赤、緑、青）中の異なる色の発光光源を複数備える。
【００２９】
上記バックライト光源が透過型又は半透過型ディスプレイパネルへバックライト照明を提供するのに用いられ、かつディスプレイパネルが直立方向に設置されたときに、上記発光デバイスは、大きい方の曲率半径（第１曲率半径）を有する第１球面カーブからなる領域が実質的に垂直方向を向き、小さい方の曲率半径（第２曲率半径）を有する第２球面カーブからなる領域が実質的に水平方向を向くように置かれることになる。
【００３０】
よって本発明の第１の態様はレンズを備える発光デバイスであり、該レンズは発光ユニットからの光を導くのに用いられる。レンズはレンズ表面（発光表面）を有しており、該レンズ表面（発光表面）は光軸に沿って異なる曲率半径を持っている。そのうちの１つの曲率半径（第１曲率半径）はもう１つの曲率半径（第２曲率半径）よりも大きいため、レンズの焦点は１方向において発光ユニット上又は発光ユニットの後方に位置し、かつ、もう１つの方向においては発光ユニット上又は発光ユニットの前方に位置することになる。
【００３１】
本発明の第２の態様は二次元配列（two-dimensional array）の発光デバイスを備えるバックライト光源であり、少なくとも１部の発光デバイスがレンズ表面（発光表面）を有し、該レンズ表面（発光表面）はその光軸に沿って異なる曲率半径を持っている。１つの曲率半径（第１曲率半径）はもう１つの曲率半径（第２曲率半径）よりも大きいため、光源が直立方向に設置されたとき、発光デバイスは、大きい方の曲率半径（第１曲率半径）を有する第１球面カーブからなる領域が実質的に垂直方向を向き、小さい方の曲率半径（第２曲率半径）を有する第２球面カーブからなる領域が実質的に水平方向を向くように置かれることになる。
【００３２】
本発明の第３の態様はディスプレイ装置及び上述のバックライト光源であり、ディスプレイ装置はディスプレイパネルを備え、バックライト光源はディスプレイパネルの背面に隣接して配置され、ディスプレイパネルに照明を提供するのに用いられる。
【００３３】
本発明の上述した目的及び特徴がより明らかにかつ容易に理解されるよう、以下に好ましい実施形態を挙げ、添付の図１〜図１２と対応させながら詳細に説明する。
【００３４】
バックライト光源は、ディスプレイパネルに照明を提供して観察者がパネル上に表示された映像を見ることができるように、透過型ディスプレイパネル又は半透過型ディスプレイパネルの後方に配置される。例えば図１に示すように、ディスプレイパネル１００はディスプレイモジュール２００及びバックライト光源３００を含んでいる。ディスプレイパネル１００が直立方向に設置されて観察者４００が通常の方式で表示された映像を見ることができるとき、ディスプレイパネル１００の垂直軸はＹ軸にほぼ平行となり、かつディスプレイパネル１００の水平軸はＸ軸にほぼ平行になる（図３及び図４参照）。
【００３５】
図２に示すように、本発明によるバックライト光源３００は二次元配列（two-dimensional array）の発光デバイス１０（発光デバイスが連結し群を成すもの）を含んでいる。発光デバイス１０は、図３に示すような矩形本体、又は円形もしくは楕円形の断面を有した図４に示すような円柱形本体を備えるものであってよい。
【００３６】
図５〜図７に示すように、各発光デバイス１０は発光ユニット２０と、発光ユニット２０に対応する発光部材３０とをそれぞれ有している。図５の実施形態が示すごとく、発光部材３０は略球面形状の曲面を有した光学材料からなっていてもよく、該略球面形状の曲面は発光ユニット２０から発せられた光線を屈折させることにより導くもので、発光表面を成している。また、図６に示す実施形態では、発光部材３０は光学材料からなるレンズ部３１と、別の光学材料からなる中間部３２を含んでいる。さらに図７に示す実施形態のように、レンズ部３１を、かかるレンズ部の二次元配列を含むレンズシートの一部とし、図６に示した中間部３２は空隙とすることもできる。なお、図７に示すレンズ部は、各レンズ部３１の平面が発光ユニット２０に面するようになっている。図８に示すように他の実施形態では、レンズシートを、各レンズ部の略球面形状の発光表面がいずれも発光ユニット２０に面するようにして配置する。
【００３７】
ディスプレイパネル１００の視覚的配置（viewing arrangement）と人間の目の視覚特性により、発光部材３０は光学的にＺ軸に非対称であるのが好ましい。よって、１方向における発光部材３０の曲率半径ともう１つの方向における曲率半径とは異なる。例えば、Ｘ方向における曲率半径ＣとＹ方向における曲率半径とは異なる（図３、図４及び図９参照）。
【００３８】
図９に示すように、発光デバイス１０は、発光デバイス１０の集光特性に関連した高さＨと幅Ｗ１を有している。高さＨと発光部材３０の焦点距離が等しくかつ発光部材３０の屈折率が約１．５である場合、発光部材３０の曲率半径はほぼＨ／２に等しくなる。図１０に示すように、発光ユニット２０は、基板２２に設けられた複数の発光ダイオード２４を有していてもよく、発光ダイオード２４は例えば三原色（ＲＧＢ：赤、緑、青）中の異なる色の光源であり得る。あるいは、発光ユニット２０は１つ又は複数の白色発光ダイオード又はモジュールを有していてもよい。
【００３９】
本発明によれば、１方向における発光部材３０（図５）の曲率半径又はレンズ部３１の曲率半径がＨ／２よりも小さいことが好ましい。例えば、図１１において、Ｘ方向（ディスプレイパネル１００が垂直壁に対して直立方向に設置されているときは水平方向）の曲率半径Ｃ１はＨ／２よりも小さい。このことは、曲率半径Ｃにつながる焦点ｆの長さが高さＨよりも短いということを意味する。このようであるので、発光部材３０の比較的低い表面上における点光源は収束光線を発することになる。曲率半径Ｃ１の大きさはＨ／２からＷ１／２の間にある、あるいは、曲率半径Ｃ１はＸ方向における幅の半分である。極端な場合、例えば曲率半径Ｃ１と高さＨの比が０．０５に等しいこともある。
【００４０】
また、Ｙ方向における曲率半径Ｃ２がＨ／２に等しい又はこれよりも大きいと好ましい。つまり、図１２に示すように、曲率半径Ｃ２につながる焦点ｆの位置がデバイス末端の後方にくるということである。このようであるので、発光部材３０の比較的低い表面上における点光源は発散光線を発することになる。
【００４１】
以上述べたように、本発明による透過型及び半透過型ディスプレイパネルに用いられるバックライト光源３００において、発光ユニットが提供する光線を導く発光部材の少なくとも一部は光学的に非対称となっている。ディスプレイパネルが垂直壁に対し直立位置に設置されるとき、例えば一部の発光部材の垂直方向における曲率半径が水平方向における曲率半径よりも小さくなる。発光部材は個々の光学部材を発光ユニットと一体化させてなるものであってもよいし、また、発光ユニットから離間したシート形の光学材料からなっていてもよい。発光部材３０は図５〜図８に示したように平凸レンズからなるものとすることができるが、両凸レンズ、凸凹レンズ又はそれらの組み合わせからなっていてもよい。
【００４２】
さらに、大型ディスプレイパネルにおいては、バックライト光源中央における発光部材とバックライト光源左右側における発光部材とが同じでなくてもかまわない。例として、側部に位置する発光部材３０は中央部に位置する発光部材３０よりも大きい発散角度を有するようにしてもよい。すなわち、側部における発光部材３０の曲率半径Ｃ１が、バックライト光源３００中央部における発光部材３０の曲率半径Ｃ１より大きくなるようにしてもよいということである。また、バックライト光源中央部における発光部材３０のレンズ表面を球面状にする、あるいは発光部材の光軸Ｏに関して対称となるようにすることも可能である。加えて、例えば、ディスプレイパネル中央に対しての発光部材の位置に応じて、比率Ｃ１／Ｃ２の範囲を０．９５〜０．０５にすることができる。
【００４３】
まとめると、本発明は、一端部に発光ユニットを、もう一端部に発光ユニットから発せられた光線を導き通過させるレンズ表面をそれぞれ備えた複数の発光デバイスを含むバックライト光源を提供する。仮にレンズ表面（発光表面）が実質的に球面状である場合、焦点は実質的に発光ユニット上に位置する、あるいは焦点距離が実質的にレンズ表面と発光ユニット間の距離に等しくなる。本発明によれば、レンズ表面（発光表面）は球面状ではなく、レンズ表面の１方向における曲率半径ともう１つの方向における曲率半径とを異ならしめている。レンズにおける１つの曲率半径（第１曲率半径）はもう１つの曲率半径（第２曲率半径）よりも大きくなっている。具体的には、１つの曲率半径（第２曲率半径）が実質的にレンズ表面と発光ユニット間の距離の半分に等しい又はこれよりも小さく、もう１つの曲率半径（第１曲率半径）が実質的にレンズ表面と発光ユニット間の距離の半分に等しい又はこれよりも大きい。したがって、レンズは実質的に２つの焦点距離を持つこととなり、１つの曲率半径がもう１つの曲率半径よりも大きくなることから、レンズの焦点が１方向において発光ユニット上又は発光ユニットの後方で合い、もう１つの方向においては発光ユニット上又は発光ユニットの前方で合うようになる。
【００４４】
バックライト光源が透過型又は半透過型ディスプレイパネルにバックライト照明を提供するために用いられ、かつ該ディスプレイパネルが直立方向に設置されたとき、発光デバイスは、大きい方の曲率半径（第１曲率半径）を有する第１球面カーブからなる領域が実質的に垂直方向に、小さい方の曲率半径（第２曲率半径）を有する第２球面カーブからなる領域が実質的に水平方向にくるように置かれることになる。
【００４５】
本発明を好ましい実施形態によって以上のように開示したが、これは本発明を限定しようとするものではなく、当業者であれば、本発明の精神と範囲を逸脱しない限りにおいて変更及び修飾を施すことができる。よって、本発明の保護範囲は、添付の特許請求の範囲で定義されたものが基準とされる。
【産業上の利用可能性】
【００４６】
本発明によって、ディスプレイパネルの視覚的配置と人間の目の視覚特性とが馴染むことができ、良好な視認性を有することから、透過型ディスプレイパネルに好適に利用可能である。
【図面の簡単な説明】
【００４７】
【図１】本発明による透過型又は半透過型ディスプレイと、複数の発光デバイスを含むバックライト光源を示す概略図である。
【図２】本発明による複数の発光デバイスの断面図であり、このうち少なくとも１部の発光デバイスは本発明のレンズ表面特性を有している。
【図３】本発明の１実施形態による複数の発光デバイスの概略図である。
【図４】本発明のもう１つの実施形態による複数の発光デバイスの概略図である。
【図５】本発明の１実施形態による発光デバイスの断面図である。
【図６】本発明のもう１つの実施形態による発光デバイスの断面図である。
【図７】別の実施形態による発光デバイスにおけるレンズの構成を説明する概略図である。
【図８】さらにまた別の実施形態による発光デバイスにおけるレンズの構成を説明する概略図である。
【図９】本発明の１実施形態による集束レンズの曲率半径と発光デバイスの高さとの関係を示している。
【図１０】発光ユニット中の複数の発光ダイオードを示している。
【図１１】Ｘ方向における発光部材の曲率半径を示している。
【図１２】Ｙ方向における発光部材の曲率半径を示している。
【符号の説明】
【００４８】
１０              発光デバイス
２０              発光ユニット
２４              発光ダイオード
３０              発光部材
３１              レンズ部
３２              中間部
１００            ディスプレイパネル
２００            ディスプレイモジュール
３００            バックライト光源
４００            観察者
Ｈ                高さ
Ｗ１              幅
Ｃ、Ｃ１、Ｃ２    曲率半径
ｆ                焦点
Ｏ                光軸
【図１】
2008103312.tif 000003
【図２】
2008103312.tif 000004
【図３】
2008103312.tif 000005
【図４】
2008103312.tif 000006
【図５】
2008103312.tif 000007
【図６】
2008103312.tif 000008
【図７】
2008103312.tif 000009
【図８】
2008103312.tif 000010
【図９】
2008103312.tif 000011
【図１０】
2008103312.tif 000012
【図１１】
2008103312.tif 000013
【図１２】
2008103312.tif 000014